(57)【要約】【課題】カーテン生地の裏側にリングを上下方向に等間隔で取付けると共に、該リングの紐穴には紐を挿通して下端部で止着し、この紐を引っ張ることでカーテン生地が等間隔で均一に折畳まれて持上がるローマンシェードカーテンの提供。【解決手段】上記リング間にスペーサー１１，１１…を介在し、折畳まれたカーテン生地１の折畳みピッチＰとリング間距離をほぼ同じ大きさとし、リング付近のカーテン生地１が極端に圧縮されて折畳まれることを防止する。【選択図】　　　　図３
2004121476.tif 000002
【特許請求の範囲】
【請求項１】
カーテン生地の裏側にリングを上下方向に等間隔で取付けると共に該リングの紐穴には紐を挿通して下端部で止着し、そして紐を引っ張ることでカーテン生地が折畳まれて持ち上がるカーテンにおいて、上記各リング間にスペーサーを介在し、折畳まれたカーテン生地の折畳みピッチとリング間距離をほぼ同じ大きさとしたことを特徴とするローマンシェードカーテン。
【請求項２】
カーテン生地の裏側にリングを上下方向に等間隔で取付けると共に該リングの紐穴には紐を挿通して下端部で止着し、そして紐を引っ張ることでカーテン生地が折畳まれて持ち上がるブラインドカーテンにおいて、上記各リングにはスペーサー部を形成することで、折畳まれたカーテン生地の折畳みピッチとリング間距離をほぼ同じ大きさとしたことを特徴とするローマンシェードカーテン。
【発明の詳細な説明】
【０００１】
【発明の属する技術分野】
本発明はカーテン生地が規則正しく等間隔で折畳まれるようにしたローマンシェードカーテンに関するものである。
【０００２】
【従来の技術】
外からの直射日光を遮蔽する為に、オフィスの窓にはブラインドが装着される場合が多い。ブラインドの主な形態としては湾曲した細長い複数枚の羽根を紐で吊下げ、水平に等間隔で配列している。そこで、紐を操作することで羽根の傾斜角度を調整することが出来、この傾斜角度にて外からの明かりの入射を調整することが出来る。又、上記紐を操作して引き上げることで、全開出来る。
【０００３】
一方、複数枚の羽根を垂直に配列して吊下げ構成した縦型ブラインドが多用されている。このブラインドは縦軸を中心に羽根を回転させることで向きが変わり、外からの光を入れたり、光を遮蔽したりすることが出来る。ただし、これらプラスチック製の羽根を配列して構成されるブラインドはビルのオフィスには適しているが、一般住宅用の部屋、特に和室には調和しない。
【０００４】
そこで、一般住宅用の部屋にはカーテンやローマンシェードカーテンが装着される場合が多い。カーテンは上レールに吊設され、該上レールに沿って開閉することが出来、一方のローマンシェードカーテンは紐で吊設されて上方へ引き上げることが出来るように成っている。本発明は該ローマンシェードカーテンに関するものであり、図７は従来から使用されているローマンシェードカーテンを示している。
【０００５】
同図の（ａ）はブラインドカーテンの正面図、（ｂ）は裏側の背面図を表しているように、長方形のカーテン生地１の上縁が上桟２に固定され、下端には下桟３が取付けられている。そして、カーテン生地１の裏側には、リング４ａ，４ａ・・が等間隔で上下方向に配列して取付けられ、同じくリング４ｂ，４ｂ・・が等間隔で上下方向に配列し、さらにリング４ｃ，４ｃ・・も等間隔で上下方向に配列している。
【０００６】
すなわち、各リング４ａ，４ａ・・、４ｂ，４ｂ・・、及び４ｃ，４ｃ・・は縦方向に配列し、しかも等間隔であって各段のリング４ａ，４ｂ，４ｃは同じ高さに位置している。そして、リング４ａ，４ａ・・には紐５ａが挿通し、リング４ｂ，４ｂ・・には紐５ｂが挿通し、及びリング４ｃ，４ｃ・・には紐５ｃが挿通している。これら各紐５ａ，５ｂ，５ｃは最下端のリング４ａ，４ｂ，４ｃに夫々止着されている。
【０００７】
ところで、これら３本の紐５ａ，５ｂ，５ｃは上桟２に取着しているガイド部材６ａ，６ｂ，６ｃを介して水平に延び、ガイド部材６ａの隣に設けているロック部材７を通過して操作紐８と成って下方へ垂れ下がっている。そこで、該操作紐８を下方へ引くならば、各紐５ａ，５ｂ，５ｃが引っ張られてカーテン生地１は上昇し、外からの明かりを入れることが出来る。操作紐８は上記ロック部材７にて任意の位置でロックされるように成っている。
【０００８】
そしてロックを解除するならば、カーテン生地１及び下桟３の重量にて降下して、同図に示すように該カーテン生地１は引き伸ばされる。ところで、操作紐８を引っ張ってカーテン生地１を持ち上げるならば、該カーテン生地１は折畳まれる。ところが、紐５ａ，５ｂ，５ｃが引っ張られることでリング４ａ，４ａ・・、リング４ｂ，４ｂ・・、及びリング４ｃ，４ｃ・・は互いに当接することになる。そして図８に示すようにカーテン生地１は折畳まれるが、各リング部分が圧縮されて窮屈な状態で折畳まれて全体的に規則正しい折畳み形態とならず、外観が損なわれる。
【０００９】
【発明が解決しようとする課題】
このように、従来のローマンシェードカーテンには上記のごとき問題がある。本発明が解決しようとする課題はこの問題点であり、カーテンを引き上げた場合に全体的に規則正しく折畳まれて外観が損なわれないようにしたローマンシェードカーテンを提供する。
【００１０】
【課題を解決する為の手段】
本発明に係るローマンシェードカーテンの基本構造は前記図７に示したものと同じであって、上桟にカーテン生地の上縁を止着し、リングを上下方向に等間隔で配列すると共に、該リングには紐を挿通して構成している。ところで、本発明では各リング間にスペーサーを介在し、紐を引いてカーテン生地を折畳む際に各リングが互いに当接しないようにしている。スペーサーの長さはカーテン生地の折畳みピッチに相当し、一般には折畳みピッチより多少大きく成っている。
【００１１】
従って、カーテン生地が折畳まれる場合、リング間のピッチと該リングから離れた箇所でのカーテン生地の折畳みピッチはほぼ同じ長さとなり、カーテン生地は一定の間隔をもって階段状に折畳まれる。すなわち、リングが取付けされた部分だけが極端に圧縮されて折畳みピッチが小さくならず、カーテン生地全体が均一に折畳まれる。ここで、リング間にスペーサーを別部品として取付ける場合に限らず、リングとスペーサーを一体化したスペーサー部を有すリングをカーテン生地に取付けることも出来る。そして、該スペーサーの形状は特に限定しない。以下、本発明に係る実施例を図面に基づいて詳細に説明する。
【００１２】
【実施例】
図１はリング４を示す具体例であり、材質を樹脂製とした概略楕円形の板状態を成している。そして一方側には円形の紐穴９が貫通して設けられ、反対側には長円の止穴１０が形成されている。ただし、この止穴１０には同図に示すように切欠き溝１６が形成されて外周と連通している為に、カーテン生地１の裏側に縫着されているテープに該切欠き溝１６を介して止穴１０が係止出来る。このように、カーテン生地１の裏側には上記止穴１０を利用して該リング４が取付けられ、取付けられたリング４の紐穴９には紐５が挿通する。
【００１３】
図２は各リング４，４・・の間に介在するスペーサー１１を示す具体例であり、同図に示すスペーサー１１はパイプと成っている。ここで、該スペーサー１１のパイプ外径Ｄはリング４の紐穴９に嵌らないようにＤ＞ｄと成っている。勿論、紐穴９が円形でなく楕円形である場合にも、スペーサー１１が紐穴９に嵌入しない寸法であればよい。
【００１４】
従って、紐５が引かれてカーテン生地１が持ち上げられて折畳まれる場合、図３に示すように、各リング４，４・・はスペーサー１１，１１・・によって間隔が拡大し、リング取付け部での折畳みピッチＰは大きくなる。この折畳みピッチＰはリング４，４・・から離れた箇所でのカーテン生地１の折畳みピッチと同じになり、カーテン生地１は全体が等間隔で折畳まれる。すなわち、従来のようにスペーサー１１，１１・・が無いことでリング４，４・・が互いに当接し、その結果、リング間ピッチが小さくなり、他の箇所とのカーテン生地１の折畳みピッチＰより小さくなることを防止できる。
【００１５】
図４は本発明に係るスペーサー付きリング１２を示している。このリング１２は図１のリング４とスペーサー１１を組合わせて一体化した部品であり、射出成形される。そこで、リング部１３とスペーサー部１４から成り、リング部１３の止穴１０を介してカーテン生地１の裏側に止着される。そして、止着されて上下方向に配列する各リング１２，１２・・の紐穴１５には紐５が挿通する。
【００１６】
そして、該リング１２をカーテン生地１に止着し、操作紐８を引っ張ってカーテン生地１を折畳むならば、前記図３に示すように各リング間ピッチと折畳みピッチＰは一定化して等間隔で折畳まれる。
【００１７】
ところで、上記リング４，４・・間に介在するスペーサー１１の形状、又リング１２に一体成形されるスペーサー部１４の形状は、パイプ形状に限定するものではない。例えば、図５に示す概略コ型のスペーサー、又図６に示す複数リングを組合わせたスペーサーとすることも可能である。勿論、紐が挿通する穴は必要である。
【００１８】
以上述べたように、本発明のローマンシェードカーテンは紐が挿通するリングの間にスペーサーを介在したり、又はスペーサー部を持ったリングを止着したものであり、次のような効果を得ることが出来る。
【００１９】
【発明の効果】
本発明に係るローマンシェードカーテンは裏側に止着して紐を挿通しているリング間にスペーサーを介在している。又はスペーサー部を有したリングを取付けている為に、カーテンを引き上げた際に規則正しく等間隔で階段状に折畳まれて、折畳み状態の外観は向上する。すなわち、スペーサーが各リング間に介在することで、リング同士が接してこの部分の折畳みピッチは他の部分に比較して小さくならない。すなわち、カーテン生地の折畳みピッチと同じ大きさに成るようにスペーサーを介在する為に、リング取付け部分が極端に圧縮されて折畳みピッチが小さくなることはない。
【図面の簡単な説明】
【図１】カーテン生地の裏側に止着されるリングの具体例。
【図２】各リング間に介在するスペーサーの具体例。
【図３】本発明に係るローマンシェードカーテンが折畳まれた状態。
【図４】スペーサー部を備えたリング。
【図５】スペーサーの他の具体例。
【図６】スペーサーの他の具定例。
【図７】従来のローマンシェードカーテン。
【図８】従来のローマンシェードカーテンが折畳まれた場合。
【符号の説明】
１　カーテン生地
２　上桟
３　下桟
４　リング
５　紐
６　ガイド部材
７　ロック部材
８　操作紐
９　紐穴
１０　止穴
１１　スペーサー
１２　リング
１３　リング部
１４　スペーサー部
１５　紐穴
１６　切欠き溝
【図１】
2004121476.tif 000003
【図２】
2004121476.tif 000004
【図３】
2004121476.tif 000005
【図４】
2004121476.tif 000006
【図５】
2004121476.tif 000007
【図６】
2004121476.tif 000008
【図７】
2004121476.tif 000009
【図８】
2004121476.tif 000010